(57)【要約】      （修正有）【課題】径方向の寸法を小さくすることができる電磁ポンプを提供すること。【解決手段】電磁ポンプは、互いに内外同心に配置された固定コア１１およびヨークを有する電磁石１０と、固定コア１１に軸方向に往復移動自在に支持されたパイプ１５と、パイプ１５の軸方向両端にそれぞれ固定され、ヨークの軸方向両端部に形成された可動子移動空間２３、２３内にそれぞれ移動可能に配設された一対の可動子２４、２４と、一対の可動子２４、２４にそれぞれ設けられた一対のダイアフラム３２、３２と、一対のダイアフラム３２、３２の軸方向外側にそれぞれ形成され、パイプ１５によって互いに連通された一対の容積変化室３４、３４と、一対の容積変化室３４、３４の一方に吸入弁３６および吐出弁３７を軸方向に並設されて形成されたポンプ室３８と、他方の容積変化室３４に設けられた吸入口４２と、ポンプ室３８に設けられた吐出口４３と、を備えている。【選択図】図１
2011047361.tif 000002
【特許請求の範囲】
【請求項１】
互いに内外同心に配置された固定コアおよびヨークを有する電磁石と、
前記固定コアに軸方向に往復移動自在に支持されたパイプと、
該パイプの軸方向両端にそれぞれ固定され、前記ヨークの軸方向両端部に形成された可動子移動空間内にそれぞれ移動可能に配設された一対の可動子と、
該一対の可動子にそれぞれ設けられた一対のダイアフラムと、
該一対のダイアフラムの軸方向外側にそれぞれ形成され、前記パイプによって互いに連通された一対の容積変化室と、
該一対の容積変化室の一方に吸入弁および吐出弁を軸方向に並設されて形成されたポンプ室と、
前記一対の容積変化室の他方に設けられた吸入口と、
前記ポンプ室に設けられた吐出口と、
を備えている電磁ポンプ。
【請求項２】
前記可動子移動空間は、筒形状に形成された内側ヨークと、筒形状に形成されて前記内側ヨークの外側端面に突き当てられた外側ヨークと、を備えており、
前記可動子は、リング形状に形成されて軸方向に着磁されたマグネットと、該マグネットの一端に固定されて前記パイプと一体移動する可動コアと、前記マグネットの他端に固定された補助コアと、を備えており、
前記可動コアが前記外側ヨーク側に配置されている、
ことを特徴とする請求項１に記載の電磁ポンプ。
【請求項３】
前記可動子が前記固定コアに対して前進した状態において、前記可動コアの外周縁辺部と前記外側ヨークの内周縁辺部とが一致するとともに、前記補助コアの内周縁辺部と前記固定コアの外周縁辺部とが一致し、
かつまた、前記可動子が前記固定コアに対して後退した状態において、前記可動コアの開口縁辺部と前記固定コアの外周縁辺部とが一致するとともに、前記補助コアの外周縁辺部と前記内側ヨークの内周縁辺部とが一致する、
ことを特徴とする請求項２に記載の電磁ポンプ。
【請求項４】
前記可動子の軸方向外側に前記可動子の移動範囲を規制するダンパが配置されている、ことを特徴とする請求項１、２または３に記載の電磁ポンプ。
【発明の詳細な説明】
【技術分野】
【０００１】
本発明は、電磁ポンプに関する。
例えば、自動車用ディーゼルエンジンのＮＯｘ（窒素酸化物）を選択還元型ＮＯｘ触媒（Ｓｅｌｅｃｔｉｖｅ  Ｃａｔａｌｙｔｉｃ  Ｒｅｄｕｃｔｉｏｎ：ＳＣＲ）により後処理するＳＣＲシステムに使用される尿素（ＣＯ（ＮＨ2 ）2 ）水溶液や携帯形電子機器用燃料電池のメチールアルコール等の液体を圧送するのに利用して有効なものに関する。
【背景技術】
【０００２】
液体を圧送するポンプの一つとして、ダイアフラムを電磁石によって振動させることにより、液体を吸引および吐出するように構成した電磁ポンプがある。
従来のこの種の電磁ポンプとしては、電磁石の軸方向一端側に配置されたダイアフラムによってポンプ室が形成されており、吸入弁と吐出弁とがポンプ室に径方向に隣り合わせに配置されているものがある（例えば、特許文献１参照）。
【先行技術文献】
【特許文献】
【０００３】
【特許文献１】特開２００５−１３９９５６号公報
【発明の概要】
【発明が解決しようとする課題】
【０００４】
しかしながら、前述した電磁ポンプにおいては、吸入弁と吐出弁とが径方向に隣り合わせに配置されているために、径方向の寸法が大きくなるという問題点があった。
【０００５】
本発明の目的は、径方向の寸法を小さくすることができる電磁ポンプを提供することにある。
【課題を解決するための手段】
【０００６】
前記した課題を解決するための手段のうち代表的なものは、次の通りである。
互いに内外同心に配置された固定コアおよびヨークを有する電磁石と、
前記固定コアに軸方向に往復移動自在に支持されたパイプと、
該パイプの軸方向両端にそれぞれ固定され、前記ヨークの軸方向両端部に形成された可動子移動空間内にそれぞれ移動可能に配設された一対の可動子と、
該一対の可動子にそれぞれ設けられた一対のダイアフラムと、
該一対のダイアフラムの軸方向外側にそれぞれ形成され、前記パイプによって互いに連通された一対の容積変化室と、
該一対の容積変化室の一方に吸入弁および吐出弁を軸方向に並設されて形成されたポンプ室と、
前記一対の容積変化室の他方に設けられた吸入口と、
前記ポンプ室に設けられた吐出口と、
を備えている電磁ポンプ。
【発明の効果】
【０００７】
この手段よれば、径方向の寸法を小さくすることができる。
【図面の簡単な説明】
【０００８】
【図１】本発明の一実施形態である電磁ポンプを示す断面図である。
【図２】図１の流体側の磁石ホルダ近傍の拡大断面図である。
【図３】流体の吐出状態における磁気回路を模式的に示す説明図である。
【発明を実施するための形態】
【０００９】
以下、本発明の一実施形態を図面に即して説明する。
【００１０】
図１に示されているように、本実施形態に係る電磁ポンプ１は電磁石１０を備えている。電磁石１０は円筒形状に形成されたコア１１を有している。コア１１の軸方向の両端には、径方向外側に向かう円形リング（ドーナツ）形状のフランジ１２がそれぞれ形成されている。コア１１の外周にはボビン１３が嵌合されており、ボビン１３の外側には円筒形状のコイル１４が装着されている。コア１１の中空部内には円筒形状のパイプ１５が軸方向に摺動可能かつ往復移動可能に支持されている。パイプ１５の軸方向の長さはコア１１の長さよりも長く形成されている。
【００１１】
ボビン１３は非磁性体例えば樹脂により形成されている。ボビン１３は円筒形状の本体部１３ａを備えており、本体部１３ａはコア１１の外周に固定されている。本体部１３ａの外径はコア１１の両端に形成されたフランジ１２の外径より小さくも形成されている。本体部１３ａの外周の両端近傍には一対の鍔部１３ｂ、１３ｂが、径方向外側に向かうリング形状にそれぞれ形成されている。両鍔部１３ｂ、１３ｂの外径はコイル１４の外径より大きく形成されている。
両鍔部１３ｂ、１３ｂの相互に対向する内端面の間隔は、コイル１４の軸方向の長さよりも若干大きく形成されている。両鍔部１３ｂ、１３ｂの内端面と、これらの内端面の間に位置する本体部１３ａの外周面とにより形成される凹部空間内には、円筒形状のコイル１４が装着されている。
【００１２】
電磁石１０は外部電源による所定の周波数の電圧を図示しない端子を介してコイル１４に印加することで、電磁石１０の磁極の極性、詳しくはコア１１の一端に配置されたフランジ１２に形成される第一磁極１６と、コア１１の他端に配置されたフランジ１２に形成される第二磁極１７とのそれぞれの相互に異なる極性を周期的に切り換えることができるようになっている。
すなわち、コイル１４に所定周波数の電圧を印加することにより、例えば第一磁極１６の極性をＳ極、Ｎ極、Ｓ極、Ｎ極・・・の順に周期的に切り換えることができ、第二磁極１７の極性を第一磁極１６の極性の切り換えと同一のタイミングで、Ｎ極、Ｓ極、Ｎ極、Ｓ極・・・の順に周期的に切り換えることができるようになっている。
【００１３】
コイル１４の外周にはコイル１４の軸方向長さよりも充分に長い円筒形状に形成されたケース２０が嵌合されており、ケース２０は磁性体によって円筒形状に形成されることにより、コイル１４の外側を囲う囲繞ヨークを構成している。
【００１４】
ケース２０内には一対の内側ヨーク２１、２１が、ケース２０の両端開口からそれぞれ嵌入されており、一対の内側ヨーク２１、２１はボビン１３の一対の鍔部１３ｂ、１３ｂの軸方向外側端面にそれぞれ突き当てられている。内側ヨーク２１は磁性体によって円筒形状に形成されており、内側ヨーク２１の内周は小径部２１ａ、中径部２１ｂおよび大径部２１ｃの３段に形成されている。一対の内側ヨーク２１、２１は小径部２１ａが内側にそれぞれ配置された状態で、対称形に、かつ、電磁石１０と同心円にそれぞれ配置されている。
【００１５】
ケース２０内における一対の内側ヨーク２１、２１の軸方向外側位置には、一対の外側ヨーク２２、２２がそれぞれ嵌入されており、一対の外側ヨーク２２、２２は一対の内側ヨーク２１、２１の外側端面にそれぞれ突き当てられている。外側ヨーク２２は磁性体によって円筒形状に形成されており、外側ヨーク２２の内周は小径部２２ａ、中径部２２ｂおよび大径部２２ｃの３段に形成されている。一対の外側ヨーク２２、２２は大径部２２ｃが内側に配置された状態で、対称形に、かつ、電磁石１０と同心円にそれぞれ配置されているとともに、これら大径部２２ｃ、２２ｃの内側端面が一対の内側ヨーク２１、２１の大径部２１ｃ、２１ｃの外側端面にそれぞれ突き当てられている。
内側ヨーク２１の内周空間（小径部２１ａ、中径部２１ｂおよび大径部２１ｃの中空部内）と、外側ヨーク２２の内周空間（小径部２２ａ、中径部２２ｂおよび大径部２２ｃの中空部内）とは、一対の可動子移動空間２３、２３をそれぞれ形成している。
【００１６】
パイプ１５は樹脂あるいはオーステナイト系ステンレス等の非磁性体によって形成されている。パイプ１５はコア１１の中空部内に軸方向に摺動可能に挿通されている。パイプ１５は軸方向に所定のストローク（例えば２ｍｍ程度）をもって往復移動（振動）可能に支持されている。パイプ１５の長さはコア１１の長さより長く形成されており、両端が常にコア１１の中空部から突出するように形成されている。つまり、パイプ１５はコア１１の中空部内に両端が中空部から突出するように移動可能に支持されている。
【００１７】
パイプ１５の両端部には一対の可動子２４、２４がそれぞれ固定されており、一対の可動子２４、２４は一対の可動子移動空間２３、２３内に、軸方向に移動可能にそれぞれ配置されている。一対の可動子２４、２４はマグネット（永久磁石）２５、可動コア２６および補助可動コア（以下、補助コアという）２７をそれぞれ備えている。
【００１８】
マグネット２５は円形リング形状に形成されており、軸方向に着磁されている。マグネット２５は可動コア２６に保持されているとともに、補助コア２７を固定している。
可動コア２６は磁性体によって略円形皿形状に形成されており、一対の可動コア２６、２６がパイプ１５の両端部にそれぞれ同心円に配置されて固定されている。一対の可動コア２６、２６は表側が内向きにそれぞれ配置された状態で、対称形に、かつ、パイプ１５と同心円にそれぞれ配置されている。一対の可動コア２６、２６の周辺部２６ａ、２６ａは一対の可動子移動空間２３、２３内にそれぞれ位置しており、両周辺部２６ａ、２６ａの内側端面には、一対のマグネット２５、２５がそれぞれ同心円に固定されている。
補助コア２７は磁性体によって円形リング形状に形成されており、一対の補助コア２７、２７が一対のマグネット２５、２５の内向き端面にそれぞれ同心円に配置されて固定されている。一対の補助コア２７、２７は一対の可動子移動空間２３、２３内にそれぞれ位置している。
【００１９】
可動コア２６の内向き端面中央部には円柱形穴形状のストローク代部２６ｂが同心円に没設されている。ストローク代部２６ｂの内径はコア（以下、固定コアという）１１のフランジ１２の外径よりも若干大きく設定されており、ストローク代部２６ｂの深さはパイプ１５のストローク（例えば２ｍｍ程度）よりも若干大きく設定されている。ストローク代部２６ｂはフランジ１２に対して進退可能に嵌合されており、フランジ１２がストローク代部２６ｂに対して後退した状態において、ストローク代部２６ｂの開口縁辺部とフランジ１２の外周縁辺部とが一致する。
補助コア２７の内径は固定コア１１のフランジ１２の外径よりも若干大きく設定されており、補助コア２７内周長さ（厚さ）はパイプ１５のストローク（例えば２ｍｍ程度）よりも若干大きく設定されている。補助コア２７はフランジ１２に対して進退可能に嵌合されており、フランジ１２が補助コア２７に対して後退した状態において、補助コア２７の内周縁辺部とフランジ１２の外周縁辺部とが一致する。
【００２０】
可動コア２６の外径は外側ヨーク２２の大径部２２ｃ内径よりも若干小さく設定されており、可動コア２６の深さは外側ヨーク２２の大径部２２ｃの深さよりも若干大きく設定されている。可動コア２６は外側ヨーク２２の大径部２２ｃに対して進退可能に嵌合されており、可動コア２６が外側ヨーク２２の大径部２２ｃに対して後退した状態において、可動コア２６の外周縁辺部と外側ヨーク２２の大径部２２ｃ内周縁辺部とが一致する。
補助コア２７の外径は内側ヨーク２１の中径部２１ｂ内径よりも若干小さく設定されており、補助コア２７の深さは内側ヨーク２１の中径部２１ｂの深さよりも若干大きく設定されている。補助コア２７は内側ヨーク２１の中径部２１ｂに対して進退可能に嵌合されており、補助コア２７が内側ヨーク２１の中径部２１ｂに対して後退した状態において、補助コア２７の外周縁辺部と内側ヨーク２１の中径部２１ｂ内周縁辺部とが一致する。
【００２１】
ケース２０内の両端部には一対のエンドプレート３１、３１がそれぞれ嵌入されている。エンドプレート３１は非磁性体の一例である樹脂によって一体形成されており、円盤形状部３１ａおよび円筒形状部３１ｂを備えている。一対のエンドプレート３１、３１は円筒形状部３１ｂが外側に配置された状態で、対称形に、かつ、ケース２０と同心円にそれぞれ配置されているとともに、一対の外側ヨーク２２、２２の外側端面にそれぞれ突き当てられている。
【００２２】
一対のエンドプレート３１、３１の内向き端面の中央部には一対のダイアフラム３２、３２がそれぞれ配置されている。ダイアフラム３２は非磁性体で弾性を有する材料の一例であるゴムによって、中央に取付孔を有する円形薄膜形状に形成されている。一対のダイアフラム３２、３２は外周縁部が外側ヨーク２２とエンドプレート３１とによって挟持されているとともに、取付孔縁辺部が可動コア２６とホルダ３３とによって挟持されている。一対のダイアフラム３２、３２は一対の円筒形状部３１ｂ、３１ｂの中空部開口をそれぞれ閉塞した状態に張設されており、可動コア２６の進退に伴って振動（往復移動）するようになっている。一対のダイアフラム３２、３２は一対の円筒形状部３１ｂ、３１ｂの中空部と共に、一対の容積変化室３４、３４をそれぞれ形成している。一対の容積変化室３４、３４はパイプ１５の中空部によって互いに連通されている。
ダイアフラム３２はゴムによって形成するに限らず、例えば、弾性を有する非磁性樹脂、オーステナイト系ステンレスのような非磁性金属等によって形成してもよい。また、ダイアフラム３２の断面形状としては、設計コンセプト等の必要に応じて、波状などの従来公知の各種の形状から選択使用することができる。
【００２３】
ホルダ３３は非磁性体の一例である樹脂によって略円筒形状に形成されており、一端に突設された取付部３３ａがパイプ１５の中空部端部に嵌入されることにより、パイプ１５に固定されている。このパイプ１５への固定により、ホルダ３３はダイアフラム３２を可動コア２６に相対的に固定している。
一対の円筒形状部３１ｂ、３１ｂの中空部の底面には、一対のダンパ３５、３５が一対のホルダ３３、３３に対向するようにそれぞれ設置されている。ダンパ３５はホルダ３３との衝突時の衝撃を吸収し得るように、防振ゴム等によって鍔付き円筒形状に形成されており、円筒部が円筒形状部３１ｂの開口部に嵌入されて固定されている。
【００２４】
片側（図１では左側。以下、左側とする）のホルダ３３の中空部内には吸入弁３６が軸方向に進退自在に保持されている。吸入弁３６はホルダ３３が往復移動するのに追従して開閉するようになっている。吸入弁３６を保持したホルダ３３側である左側のエンドプレート３１の円筒形状部３１ｂ内には、吐出弁３７が軸方向に進退自在に保持されている。吐出弁３７は左側のホルダ３３が往復移動するのに追従して開閉するようになっている。吸入弁３６と吐出弁３７とは交互に開閉することにより、ポンプ作用を発揮するようになっている。すなわち、吸入弁３６と吐出弁３７との間の密封室によってポンプ室３８が構成されている。
【００２５】
ケース２０の両端部には一対のキャップ４１、４１がそれぞれ嵌合されて固定されている。キャップ４１は非磁性体の一例である樹脂によって一体形成されており、円盤形状部４１ａおよび有底の円筒形状部４１ｂを備えている。キャップ４１の円盤形状部４１ａはエンドプレート３１の円盤形状部３１ａの外側端面に押接することにより、エンドプレート３１を固定している。キャップ４１の円筒形状部４１ｂ内にはエンドプレート３１の円筒形状部３１ｂが嵌入されている。
ポンプ室３８と反対側に位置する右側のキャップ４１の円筒形状部４１ｂ底壁中央には、タンク（図示せず）に接続される吸入口４２が形成されており、ポンプ室３８側に位置する左側のキャップ４１の円筒形状部４１ｂ底壁中央には、噴霧器等の負荷に接続される吐出口４３が形成されている。
【００２６】
次に、以上の構成に係る電磁ポンプ１の作用を説明する。
【００２７】
図１において、パイプ１５が左側から右側へ移動すると、図２に示されているように、吸入弁３６を保持したホルダ３３が吐出弁３７を保持したエンドプレート３１の円筒形状部３１ｂ底面から離れるので、ポンプ室３８の容積が増加する。ポンプ室３８の容積が増加すると、ポンプ室３８の圧力が低下するので、吸入弁３６が開き、パイプ１５の中空部内の例えば尿素水溶液のような液体２がポンプ室３８内に流入する。相対的に、ポンプ室３８外の圧力が上昇するので、吐出弁３７が閉じる。したがって、ポンプ室３８内の液体２の吐出口４３への流出は阻止される。
【００２８】
同時に、図１において、一対の可動子２４、２４がパイプ１５と共に左側から右側へ移動する。一対の可動子２４、２４すなわちパイプ１５の右側への最大移動位置は、右側の可動子２４のホルダ３３右端面が右側のエンドプレート３１の円筒形状部３１ｂ底面に設置されたダンパ３５に当接することにより、確実かつ容易に制御されるとともに、緩衝される。しかも、ダンパ３５の弾性力はホルダ３３を押し込む方向に作用するために、ホルダ３３をパイプ１５から抜き出す力が作用するのを回避することができる。
【００２９】
次いで、図示しない制御部からの制御指令に基づいて電磁石１０の磁極の極性が切り換えられる。すなわち、第一磁極１６をＳ極とし、第二磁極１７をＮ極とするようにコイル１４に電流を流す。
【００３０】
すると、固定コア１１、ケース２０、一対の可動子２４、２４の可動コア２６および補助コア２７が磁性体によってそれぞれ形成されているので、固定コア１１、ケース２０、一対の可動子２４、２４の可動コア２６および補助コア２７には、図３に示されているように、理想的な磁気回路が形成される。
この磁気回路により、電磁石１０の第一磁極１６と第一磁極１６に対向する左側の可動コア２６との間には斥力（repulsion ）ＦＲが発生し、第二磁極１７と第二磁極１７に対向する右側の可動コア２６との間には引力（attraction）ＦＡが発生する。引力ＦＡと斥力ＦＲとにより、パイプ１５が左側に移動する。
【００３１】
本実施形態においては、可動子２４がフランジ１２に前進した状態（図３の左端部参照）において、可動コア２６の外周縁辺部と外側ヨーク２２の大径部２２ｃ内周縁辺部とが一致するとともに、補助コア２７の内周縁辺部とフランジ１２の外周縁辺部とが一致し、また、可動子２４がフランジ１２に対して後退した状態（図３の右端部参照）において、ストローク代部２６ｂの開口縁辺部とフランジ１２の端面外周縁辺部とが一致するとともに、補助コア２７の外周縁辺部と内側ヨーク２１の中径部２１ｂ内周縁辺部とが一致することにより、図３に示されているように、それぞれ一致する４箇所において斜め磁界による補強引力ＦＢがそれぞれ発生する。
補強引力ＦＢの軸方向に沿った水平成分はパイプ１５を左側に移動させる力として働くので、パイプ１５を左側に移動させる際に、第一磁極１６および第二磁極１７に働く斥力ＦＲおよび引力ＦＡに加算されることになり、パイプ１５は大きな駆動力によって左側に移動されることになる。しかも、補強引力ＦＢは４箇所においてそれぞれ発生するので、パイプ１５に極めて大きな駆動力になって働くことになる。
【００３２】
パイプ１５が右側から左側へ移動すると、図１に示されているように、吸入弁３６を保持したホルダ３３が、吐出弁３７を保持したエンドプレート３１の円筒形状部３１ｂ底面に近接するので、ポンプ室３８の容積が減少する。ポンプ室３８の容積が減少すると、ポンプ室３８の圧力が増加するので、吐出弁３７が開き、ポンプ室３８内の液体２が吐出口４３に流出する。相対的に、吸入弁３６が閉じるので、ポンプ室３８内の液体２のパイプ１５内への流出は阻止される。
【００３３】
同時に、一対の可動子２４、２４がパイプ１５と共に左側へ移動する（図１参照）。一対の可動子２４、２４すなわちパイプ１５の左側への最大移動位置は、左側の可動子２４のホルダ３３左端面が左側のエンドプレート３１の円筒形状部３１ｂ底面に設置されたダンパ３５に当接することにより、確実かつ容易に制御されるとともに、緩衝される。しかも、ダンパ３５の弾性力はホルダ３３を押し込む方向に作用するために、ホルダ３３をパイプ１５から抜き出す力が作用するのを回避することができる。
【００３４】
次いで、図示しない制御部からの制御指令に基づいて電磁石１０の磁極の極性が切り換えられる。すなわち、第一磁極１６をＮ極とし、第二磁極１７をＳ極とするようにコイル１４に電流を流す。
【００３５】
すると、固定コア１１、ケース２０、一対の可動子２４、２４の可動コア２６および補助コア２７が磁性体によってそれぞれ形成されているので、固定コア１１、ケース２０、一対の可動子２４、２４の可動コア２６および補助コア２７には磁気回路が形成される。  この磁気回路により、電磁石１０の第一磁極１６と第一磁極１６に対向する左側の可動コア２６との間には引力ＦＡが発生し、第二磁極１７と第二磁極１７に対向する右側の可動コア２６との間には斥力ＦＲが発生する。引力ＦＡと斥力ＦＲとにより、パイプ１５が右側に移動する。
【００３６】
このときも、左右の可動子２４、２４の電磁石１０に対する関係が、図３について前述した条件を満たすように設定されているにより、斜め磁界による補強引力ＦＢが４箇所においてそれぞれ発生するので、第一磁極１６および第二磁極１７に働く斥力ＦＲおよび引力ＦＡを増強されることになり、パイプ１５は大きな駆動力によって右側に移動されることになる。
【００３７】
以下、電磁石１０の磁極の極性を周期的に切り換えて、パイプ１５を軸方向に往復移動することにより、ポンプ室３８の容積を増減させて吸入弁３６および吐出弁３７を交互に開閉することにより、液体２を圧送する。
【００３８】
前記実施の形態によれば、次の効果が得られる。
【００３９】
（１）吸入弁および吐出弁を軸線上に配置することにより、電磁ポンプの径方向の大きさを小さく設定することができるので、小型化を容易に図ることができる。
【００４０】
（２）一つの電磁石の両脇に一対の可動子をそれぞれ配置することにより、一方の可動子を吸引するとともに、他方の可動子を反発することができるので、電磁ポンプの作動効率を向上させることができるとともに、消費電力を抑制することができる。
【００４１】
（３）可動子がフランジに対して前進した状態において、可動コアの外周縁辺部と外側ヨークの内周縁辺部とが一致するとともに、補助コアの内周縁辺部とフランジの外周縁辺部とが一致し、かつまた、可動子がフランジに対して後退した状態において、可動コアの開口縁辺部とフランジの外周縁辺部とが一致するとともに、補助コアの外周縁辺部と内側ヨークの内周縁辺部とが一致するように構成することにより、電磁石および可動子の斥力と引力とを増強させることができるので、電磁ポンプの作動効率をより一層向上させることができるとともに、相対的に、消費電力を抑制することができる。
【００４２】
（４）可動子の軸方向外側に可動子の移動範囲を規制するダンパを配置することにより、可動子の移動範囲を確実かつ容易に制御することができるとともに、規制時の衝突の衝撃を緩和することができ、しかも、ダンパの弾性力を可動子を押す方向に作用させることができるために、可動子に引き抜き力が作用するのを回避することができる。
【００４３】
なお、本発明は以上の実施形態に限定されるものではなく、その要旨を逸脱しない範囲で種々に変更が可能であることはいうまでもない。
【００４４】
例えば、ボビン、エンドプレート、ホルダおよびキャップパイプは、樹脂によって形成するに限らず、オーステナイト系ステンレス等の非磁性体によって形成してもよい。
【００４５】
本実施形態では、フランジ１２がストローク代部２６ｂに対して後退した状態において、ストローク代部２６ｂの開口縁辺部とフランジ１２の外周縁辺部とが一致し、また、フランジ１２が補助コア２７に対して後退した状態において、補助コア２７の内周縁辺部とフランジ１２の外周縁辺部とが一致するとしているが、多少のずれは許容される。
【００４６】
本実施形態では、可動コア２６が外側ヨーク２２の大径部２２ｃに対して後退した状態において、可動コア２６の外周縁辺部と外側ヨーク２２の大径部２２ｃ内周縁辺部とが一致し、また、補助コア２７が内側ヨーク２１の中径部２１ｂに対して後退した状態において、補助コア２７の外周縁辺部と内側ヨーク２１の中径部２１ｂ内周縁辺部とが一致するとしているが、多少のずれは許容される。
【符号の説明】
【００４７】
１…電磁ポンプ、２…液体、
１０…電磁石、１１…固定コア、１２…フランジ、１３…ボビン、１３ａ…本体部、１３ｂ…鍔部、１４…コイル、１５…パイプ、１６…第一磁極、１７…第二磁極、
２０…ケース（囲繞ヨーク）、２１…内側ヨーク、２１ａ…小径部、２１ｂ…中径部、２１ｃ…大径部、２２…外側ヨーク、２２ａ…小径部、２２ｂ…中径部…、２２ｃ…大径部、２３…可動子移動空間、２４…可動子、２５…マグネット（永久磁石）、２６…可動コア、２７…補助コア（補助可動コア）、
３１…エンドプレート、３２…ダイアフラム、３３…ホルダ、３４…容積変化室、３５…ダンパ、３６…吸入弁、３７…吐出弁、３８…ポンプ室、
４１…キャップ、４２…吸入口、４３…吐出口。
【図１】
2011047361.tif 000003
【図２】
2011047361.tif 000004
【図３】
2011047361.tif 000005